(57)【要約】      （修正有）【課題】一種の平型飛沫ブロックマスクの改良構造を提供する。【解決手段】ブレフィルタ１０と、２つのループ２０と、曲折フィルタユニットとを含む平型飛沫ブロックマスクの改良構造であり、ブレフィルタは、外側面１１、内側面１２及び２つの自由側１３を含み、２つの自由側はブレフィルタの対向する両側に形成され、ブレフィルタの両自由側に２つの通し穴１４が設けられる。２つのループはそれぞれ２つの通し穴に設けられる。曲折フィルタユニットはブレフィルタの内側面の下の中央エリアにゲート型に設けられ、上折りユニット３１、２つの下折りユニット３２及び上折りユニットと下折りユニットを連結する２つの縦フィルタを含む。２つの下折りユニットはブレフィルタの下側に連結され、上折りユニットの外側はブレフィルタに挿入固定され、２つの縦フィルタと上折りユニットとの間には上折りライン３４が形成され、２つの縦フィルタと下折りユニットとの間には２つの下折りラインが形成される。【選択図】図１
0003197190.tif 000002
【実用新案登録請求の範囲】
【請求項１】
一種の平型飛沫ブロックマスクの改良構造であり、該平型飛沫ブロックマスクＡにはブレフィルタ１０を含み、一体化したソフト平型形態のブレフィルタであり、外側面１１、内側面１２及び両自由側１３を含み、該両自由側１３はブレフィルタ１０に相応する両側にあり、力を受けての曲り形態であり、且つ該ブレフィルタ１０が両自由側１３に近隣するところに二つ通し穴１４を設け、二つのループ２０がそれぞれ二つの通し穴１４に設置し、ユーザーの耳に掛けるため、延伸形態となる。一つ曲折フィルタユニット３０が該ブレフィルタ１０の内側面１２の下中央エリアにゲート型形態で設け、該曲折フィルタユニット３０には一つ上折りユニット３１、二つ下折りユニット３２及び該上折りユニット３１と下折りユニット３２を連結する二つの縦フィルタ３３を設け、その中、該二つの下折りユニット３２はブレフィルタ１０の下側と連結し、上折りユニット３１の外側がブレフィルタ１０に挿込み固定し、二つの縦フィルタ３３や上折りユニット３１の間に一つ上折りライン３４を形成し、二つの縦フィルタ３３や下折りユニット３２の間に二つ下折りライン３５を形成するのである。その特徴は該二つの縦フィルタ３３の上部分の間に一つ横フィルタ３６を連結設け、且つ該横フィルタ３６の上縁側が上折りライン３４と連結し、このように二つの縦フィルタ３３や横フィルタ３６が共同に一つゲート型フィルタ３７を形成するのである。該上折ライン３４が一つ曲線形態となり、又二つの下折りライン３５が斜面形態となり、この形態によって、ゲート型フィルタ３７を横方向且つ曲線のある形態に支えているのである。上記の設計によって、該平型飛沫ブロックマスクＡを掛ける際、顎との間の密着度を上げ、掛ける快適さも上げるのである。
【請求項２】
請求項１で述べた平型飛沫ブロックマスクの改良構造によって、その中、ゲート型フィルタ３７には一つゲート型ソフト裏地４０を貼付け、且つ該ゲート型ソフト裏地４０の上側幅は横フィルタ３６の幅より大きく、ゲート型ソフト裏地の両側幅は縦フィルタ３３の幅より大きいのである。
【請求項３】
請求項２で述べた平型飛沫ブロックマスクの改良構造によって、その中、該上折りユニット３１の外側が曲線形態に設けているのである。
【請求項４】
請求項３で述べた平型飛沫ブロックマスクの改良構造によって、その中、該ブレフィルタ１０の両自由側１３に近隣するところに設けた二つの通し穴１４の一面やブレフィルタ１０の縁側の間に一つループ入れ穴１５を設け、このようにループ２０が横方向に通す方法で通し穴１４に嵌め込むのである。
【考案の詳細な説明】
【技術分野】
【０００１】
本考案はマスク製品であり、特に一種の平型飛沫ブロックマスクの新しい構造形態である。
【背景技術】
【０００２】
現在、たくさんのサービス業は環境衛生を考慮し、飛沫を食べ物や顧客に噴出するのを防止するため、よくスタッフにマスクの着用を要求するが、市販のマスクはガーゼ製のものが多く、着用時、ユーザーの鼻口を全部覆うことになり、使用上の通気性が悪く、長時間の着用に熱く感じることやしゃべりづらいなどの問題点があり、飲食サービス業に対しては不適用となる。その後にこのような不便な状態を改善するため、飛沫を防止するマスクを開発する業者がいたのである。
【０００３】
周知する飛沫ブロックマスクの早期構造形態は中華民国特許番号Ｍ３８３４１９の「飛沫ブロックマスク」であり、その構造は一つソフト板材をアーク状枠で構成し、着用時は該アーク状枠で顔の部分エリアと合わせ、又ガード板で鼻口の部分を防ぎながら、呼吸できる空間を形成しているのである。該周知する構造形態は実際の使用経験上、該ソフト板材はアーク状枠によってアーク形態となり、そのため、アークの角度がアーク状枠に制限させ、異なる顔の形や大きさに対応できず、着用の快適さやブロック効果に影響する問題点がある。又、製造面には、該ソフト板材やアーク状枠は別々で製造することによって、部品完成後には組立する人や時間のコストが発生し、生産コストが高くなり、販売価格も高くなる問題や欠点がある。
【０００４】
上記周知する飛沫ブロックマスクの構造に存在する問題や欠点があることによって、本考案者がこの前に一つ中華民国特許番号Ｍ４６５９３０の「曲れる平型飛沫ブロックマスク」で対応したのである。該周知する前案内容は、主に一種のソフト平型板形態のブレフィルタ下の中央エリアに曲れる板を設置し、着用時は顎に寄り当ての簡易型飛沫ブロックマスク形態を形成するのである。しかし、考案者は該技術が実際の使用上にまだ不足するところが存在することを発見し、例えば顎に寄り当てる曲り形態は硬直した平直面形態であり、実際にユーザーの顎に当てる時、人体の顎がアーク状であるため、完全密着状態にはなれなく、快適の着用状態になれなかったのである。その他、該板が顎に寄り当てる時、カットした形状の縁側が鋭くなり、ユーザーの顎に不適感を与え、その後、飛沫ブロックマスクの着用品質や快適性に影響し、実に改善する必要がある。
【０００５】
上述した周知する飛沫ブロックマスクの構造に存在する問題点に対し、どのようにそれを改善するための新しい構造開発が、実に関連業者達が努力し、研究開発して行きたい目標及び方向である。
【０００６】
そのため、考案者が多年この関連業界で関連製品の開発や設計を経験し、上述した目標に対し、詳しく設計や評価した後、本考案を提出するのである。
【考案の概要】
【考案が解決しようとする課題】
【０００７】
本考案の目的は、一種の平型飛沫ブロックマスクの改良構造を提供することであり、解決しようとする課題は、どのように実用性のある新しい平型飛沫ブロックマスクの構造形態を開発していくのである。該平型飛沫ブロックマスクには一体化した一体化したソフト平型形態のブレフィルタを含み、該ブレフィルタには外側面、内側面及び両自由側を含み、該両自由側はブレフィルタに相応する両側にあり、力を受けての曲り形態であり、且つ該ブレフィルタが両自由側に近隣するところに二つ通し穴を設け、二つのループがそれぞれ二つの通し穴に設置し、一つ曲折フィルタユニットが該ブレフィルタの内側面の下中央エリアに
（外１）
0003197190.tif 000003
字型形態で設け（本明細書及び請求の範囲において、図２に例示するような、この（外１）字型を「ゲート型」と呼ぶ。）、該曲折フィルタユニットには一つ上折りユニット、二つ下折りユニット及び該上折りユニットと下折りユニットを連結する二つの縦フィルタを設け、該二つの下折りユニットはブレフィルタの下側と連結し、上折りユニットの外側がブレフィルタに挿込み固定し、二つの縦フィルタや上折りユニットの間に一つ上折りラインを形成し、二つの縦フィルタや下折りユニットの間に二つ下折りラインを形成するのである。
【０００８】
本考案で解決しようとする課題は、主に該二つの縦フィルタの上部分の間に一つ横フィルタを連結設け、且つ該横フィルタの上縁側が上折りラインと連結し、このように二つの縦フィルタや横フィルタが共同に一つゲート型フィルタを形成するのである。該上折ラインが一つ曲線形態となり、又二つの下折りラインが斜面形態となり、この形態によって、ゲート型フィルタを横方向且つ曲線のある形態に支えているのである。
（課題を解決するための技術特徴）
このようなオリジナルの設計により、本考案は前作の技術と比べ、該平型飛沫ブロックマスクを着用する際、ユーザーの顎の間での密着度や着用の快適さを向上し、実用進歩性を持つのである。
【０００９】
本考案のもう一つの目的は、該ゲート型フィルタにゲート型ソフト裏地を貼付け、且つ該ゲート型ソフト裏地の上側幅は横フィルタの幅より大きく、ゲート型ソフト裏地の両側幅は縦フィルタの幅より大きい特徴があり、該ゲート型ソフト裏地を利用して、ユーザー着用の快適さを向上する効果やメリットに達するのである。
【課題を解決するための手段】
【００１０】
図１〜６で示すように、本考案の平型飛沫ブロックマスクの改良構造のベスト実施例であり、この説明は本考案の実用新案登録請求の範囲を制限しておらず、具体的に本考案を説明するために用いられる内容である。該平型飛沫ブロックマスクＡには、一つブレフィルタ１０を含み、一体化したソフト平型形態のブレフィルタ（備考：透明・半透明或いは有色透明のプラスチックフィルタで構成）であり、外側面１１、内側面１２及び両自由側１３を含み、該両自由側１３はブレフィルタ１０に相応する両側にあり、力を受けての曲り形態であり、且つ該ブレフィルタ１０が両自由側１３に近隣するところに二つ通し穴１４を設け、二つのループ２０がそれぞれ二つの通し穴１４に設置し、ユーザーの耳に掛けるため、延伸形態となる。一つ曲折フィルタユニット３０が該ブレフィルタ１０の内側面１２の下中央エリアにゲート型形態で設け、該曲折フィルタユニット３０には一つ上折りユニット３１、二つ下折りユニット３２及び該上折りユニット３１と下折りユニット３２を連結する二つの縦フィルタ３３を設け、その中、該二つの下折りユニット３２はブレフィルタ１０の下側と連結し、上折りユニット３１の外側がブレフィルタ１０に挿込み固定し、二つの縦フィルタ３３や上折りユニット３１の間に一つ上折りライン３４を形成し、二つの縦フィルタ３３や下折りユニット３２の間に二つ下折りライン３５を形成するのである。その特徴は該二つの縦フィルタ３３の上部分の間に一つ横フィルタ３６を連結設け、且つ該横フィルタ３６の上縁側が上折りライン３４と連結し、このように二つの縦フィルタ３３や横フィルタ３６が共同に一つゲート型フィルタ３７を形成するのである。該上折ライン３４が一つ曲線形態となり、又二つの下折りライン３５が斜面形態となり、この形態によって、ゲート型フィルタ３７を横方向且つ曲線のある形態に支えているのである。上記の設計によって、該平型飛沫ブロックマスクＡを掛ける際、顎との間の密着度を上げ、掛ける快適さも上げるのである。
【００１１】
図１、２で示すように、該ゲート型フィルタ３７に一つゲート型ソフト裏地４０を貼付け、且つ該ゲート型ソフト裏地４０の上側幅は横フィルタ３６の幅より大きく（図４に参照）、ゲート型ソフト裏地の両側幅は縦フィルタ３３の幅より大きいのである。ゲート型ソフト裏地４０の両側幅が縦フィルタ３３の幅より大きく（図６に参照）、この構造でゲート型フィルタの鋭い縁側部分をカバーするのである。ゲート型ソフト裏地４０には、具体的にシリコン・ゴム・発泡などソフト材料で成型することが出来るのである。
【００１２】
図５で示すように、該上折りユニット３１の外側はアーク形態となり、ブレフィルタ１０の両自由側１３が力を受け曲る時、ブレフィルタ１０の中央エリアが上述した上折りユニット３１の外側のアーク形態によって、スムーズなアーク形態になるのである。
【００１３】
図７で示すように、該ブレフィルタ１０に近隣する両自由側１３のところに設けた二つの通し穴１４の片側がブレフィルタ１０の縁側の間に一つループ入れ穴１５を設け、ループ２０が横方向に通す方法で通し穴１４に嵌め込むのである。
【００１４】
上述構造は本考案で掲示した平型飛沫ブロックマスクＡのコア構造形態であり、主に該二つの縦フィルタ３３の上部分の間に一つ横フィルタ３６を連結設け、このように二つの縦フィルタ３３や横フィルタ３６が共同に一つゲート型フィルタ３７を形成するのであり、又、上折ライン３４が一つ曲線形態となり、二つの下折りライン３５が斜面形態となり、この形態によって、ゲート型フィルタ３７を横方向且つ曲線のある形態に支えているのである。この設計によって、該平型飛沫ブロックマスクＡを掛ける際、ユーザーの顎との間の密着度を上げ、掛ける快適さも上げるのである（図８で示すように、人体の顎が平状ではなく、アーク状である）。
（効果の説明）
本考案で掲示した「平型飛沫ブロックマスクの改良構造」は、主に該二つの縦フィルタの上部分の間に一つ横フィルタを連結設け、又、該上折ラインが一つ曲線形態となり、二つの下折りラインが斜面形態となり、このような形態によって、二つの縦フィルタや横フィルタを共同にゲート型フィルタに支え、横向きアーク形態のオリジナル構造形態や技術特徴を成型するのである。本考案は［前作の技術］と比べ、該平型飛沫ブロックマスクを着用する際、ユーザーの顎の間での密着度や着用の快適さを向上し、実用進歩性を持つのである。その他、該ゲート型フィルタにゲート型ソフト裏地を貼付け、且つ該ゲート型ソフト裏地の上側幅は横フィルタの幅より大きく、ゲート型ソフト裏地の両側幅は縦フィルタの幅より大きい特徴があり、該ゲート型ソフト裏地を利用して、ユーザー着用の快適さを向上する効果やメリットに達するのである。
【００１５】
上述した実施例に掲示されたのは、具体的に本考案を説明するために用いられる内容であり、文の中で専門用語で説明してきたが、それらを以って、本考案の実用新案登録請求の範囲を制限してはならず、当該技術の分かる者が、本考案の考えやコンセプトを理解したうえ、それらの変更や改造を行って、それと同等な効果を得たとしても、それらの変更や改造は全て、後述の実用新案登録請求の範囲に含まれるものとする。
【図面の簡単な説明】
【００１６】
【図１】本考案ベスト構造実施例の組立図
【図２】本考案ベスト構造実施例の局部分散図
【図３】本考案ベスト構造実施例の平面展開図
【図４】本考案構造の縦断面図
【図５】本考案局部構造の平面俯瞰図
【図６】本考案局部構造の横断面図
【図７】本考案の通し穴やブレフィルタ縁側の間にループ入れ穴を設置する実施例図
【図８】本考案の平型飛沫ブロックマスクの着用状態イメージ図
【符号の説明】
【００１７】
Ａ      平型飛沫ブロックマスク
１０    ブレフィルタ
１１    外側面
１２    内側面
１３    自由側
１４    通し穴
１５    ループ入れ穴
２０    ループ
３０    曲折フィルタユニット
３１    上折りユニット
３２    下折りユニット
３３    縦フィルタ
３４    上折りライン
３５    下折りライン
３６    横フィルタ
３７    ゲート型フィルタ
４０    ゲート型ソフト裏地
【図１】
0003197190.tif 000004
【図２】
0003197190.tif 000005
【図３】
0003197190.tif 000006
【図４】
0003197190.tif 000007
【図５】
0003197190.tif 000008
【図６】
0003197190.tif 000009
【図７】
0003197190.tif 000010
【図８】
0003197190.tif 000011
【手続補正書】
【提出日】平成26年10月31日(2014.10.31)
【手続補正１】
【補正対象書類名】実用新案登録請求の範囲
【補正対象項目名】全文
【補正方法】変更
【補正の内容】
【実用新案登録請求の範囲】
【請求項１】
ブレフィルタ（１０）と、２つのループ（２０）と、曲折フィルタユニット（３０）とを含む平型飛沫ブロックマスクの改良構造であり、
前記ブレフィルタ（１０）は、一体化したソフト平型形態のブレフイルタであり、外側面（１１）、内側面（１２）及び２つの自由側（１３）を含み、該２つの自由側（１３）はブレフィルタ（１０）の対向する両側に形成され、かつ力によって曲げられる形態に形成され、該ブレフィルタ（１０）の両自由側（１３）に近隣するところには２つ通し穴（１４）が設けられ、
前記２つのループ（２０）はそれぞれ前記２つの通し穴（１４）に設けられ、かつユーザーの耳に掛けられるように延伸形態に形成され、
前記曲折フィルタユニット（３０）は前記ブレフィルタ（１０）の内側面（１２）の下の中央エリアにゲート型に設けられ、該曲折フィルタユニット（３０）は上折りユニット（３１）、２つ下折りユニット（３２）及び該上折りユニット（３１）と下折りユニット（３２）を連結する２つの縦フィルタ（３３）を含み、該２つの下折りユニット（３２）はブレフィルタ（１０）の下側に連結され、上折りユニット（３１）の外側はブレフィルタ（１０）に挿入固定され、２つの縦フィルタ（３３）と上折りユニット（３１）との間には上折りライン（３４）が形成され、２つの縦フィルタ（３３）と下折りユニット（３２）との間には２つ下折りライン（３５）が形成され、
その特徴は、前記２つの縦フィルタ（３３）の間の上部分に横フィルタ（３６）が設けられ、かつ該横フィルタ（３６）の上縁側が上折りライン（３４）に連結されることにより、２つの縦フィルタ（３３）と横フィルタ（３６）で構成されるゲート型フィルタ（３７）を形成し、前記上折ライン（３４）が曲線形態に形成され、かつ２つの下折りライン（３５）が斜面形態に形成されることにより、ゲート型フィルタ（３７）が横方向の曲線を有する形状と当接できることにあり、
上記の設計によって、該平型飛沫ブロックマスクを掛ける際、顎との間の密着度を上げ、掛ける快適性も上げることができる、平型飛沫ブロックマスクの改良構造。
【請求項２】
請求項１で述べた平型飛沫ブロックマスクの改良構造において、前記ゲート型フィルタ（３７）にはゲート型ソフト裏地（４０）が更に設けられ、該ゲート型ソフト裏地（４０）の上側幅は横フィルタ（３６）の幅より広く、ゲート型ソフト裏地（４０）の両側の幅は縦フィルタ（３３）の幅より広い。
【請求項３】
請求項２で述べた平型飛沫ブロックマスクの改良構造において、前記上折りユニット（３１）の外側は曲線形態に設けられている。
【請求項４】
請求項３で述べた平型飛沫ブロックマスクの改良構造において、前記ブレフィルタ（１０）の２つの自由側（１３）に近隣するところに設けられた２つの通し穴（１４）の一側とブレフィルタ（１０）の縁側との間にループ入れ穴（１５）が更に設けられることにより、ループ（２０）をブレフィルタ（１０）の一側から通し穴（１４）に嵌め込む。
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
ブレフィルタ（１０）と、２つのループ（２０）と、曲折フィルタユニット（３０）とを含む平型飛沫ブロックマスクの改良構造であり、
前記ブレフィルタ（１０）は、一体化したソフト平型形態のブレフイルタであり、外側面（１１）、内側面（１２）及び２つの自由側（１３）を含み、該２つの自由側（１３）はブレフィルタ（１０）の対向する両側に形成され、かつ力によって曲げられる形態に形成され、該ブレフィルタ（１０）の両自由側（１３）に近隣するところには２つ通し穴（１４）が設けられ、
前記２つのループ（２０）はそれぞれ前記２つの通し穴（１４）に設けられ、かつユーザーの耳に掛けられるように延伸形態に形成され、
前記曲折フィルタユニット（３０）は前記ブレフィルタ（１０）の内側面（１２）の下の中央エリアにゲート型に設けられ、該曲折フィルタユニット（３０）は上折りユニット（３１）、２つ下折りユニット（３２）及び該上折りユニット（３１）と下折りユニット（３２）を連結する２つの縦フィルタ（３３）を含み、該２つの下折りユニット（３２）はブレフィルタ（１０）の下側に連結され、上折りユニット（３１）の外側はブレフィルタ（１０）に挿入固定され、２つの縦フィルタ（３３）と上折りユニット（３１）との間には上折りライン（３４）が形成され、２つの縦フィルタ（３３）と下折りユニット（３２）との間には２つ下折りライン（３５）が形成され、
その特徴は、前記２つの縦フィルタ（３３）の間の上部分に横フィルタ（３６）が設けられ、かつ該横フィルタ（３６）の上縁側が上折りライン（３４）に連結されることにより、２つの縦フィルタ（３３）と横フィルタ（３６）で構成されるゲート型フィルタ（３７）を形成し、前記上折ライン（３４）が曲線形態に形成され、かつ２つの下折りライン（３５）が斜面形態に形成されることにより、ゲート型フィルタ（３７）が横方向の曲線を有する形状と当接できることにあり、
上記の設計によって、該平型飛沫ブロックマスクを掛ける際、顎との間の密着度を上げ、掛ける快適性も上げることができる、平型飛沫ブロックマスクの改良構造。
【請求項２】
請求項１に記載の平型飛沫ブロックマスクの改良構造において、前記ゲート型フィルタ（３７）にはゲート型ソフト裏地（４０）が更に設けられ、該ゲート型ソフト裏地（４０）の上側幅は横フィルタ（３６）の幅より広く、ゲート型ソフト裏地（４０）の両側の幅は縦フィルタ（３３）の幅より広い、ことを特徴とする平型飛沫ブロックマスクの改良構造。
【請求項３】
請求項２に記載の平型飛沫ブロックマスクの改良構造において、前記上折りユニット（３１）の外側は曲線形態に設けられている、ことを特徴とする平型飛沫ブロックマスクの改良構造。
【請求項４】
請求項３に記載の平型飛沫ブロックマスクの改良構造において、前記ブレフィルタ（１０）の２つの自由側（１３）に近隣するところに設けられた２つの通し穴（１４）の一側とブレフィルタ（１０）の縁側との間にループ入れ穴（１５）が更に設けられることにより、ループ（２０）をブレフィルタ（１０）の一側から通し穴（１４）に嵌め込む、ことを特徴とする平型飛沫ブロックマスクの改良構造。